(57)【要約】【課題】ＧＳＭ／ＥＤＧＥ（世界移動体通信システム／ＧＳＭ革新のための強化データレート)無線接続ネットワーク（ＧＥＲＡＮ）がサポートするサービス提供ＧＥＲＡＮセルから，世界地上無線接続ネットワーク（ＵＴＲＡＮ）がサポートするＵＴＲＡＮセルへ，移動機がセル再選択すること。【解決手段】本発明の第１実施例によれば，信号方式を変更することなく意図したシステム間再選択振る舞いが実現される。信号方式の変更は，（通常，移動機及びネットワーク双方の更新が必要となるため）市場の製品に行き渡るには常に長期間が必要なため，この方法は早期実装のためにより好ましい形態である。本発明の第２実施例によれば，利点となるように柔軟な信号方式変更が用いられる。【選択図】図１
2011125066.tif 000002
【特許請求の範囲】
【請求項１】
第１無線接続技術がサポートするサービス提供セル（２０−１−Ａ）から第２無線接続技術がサポートするセル（２０−１−Ｂ）へ，移動機（１０）がセル再選択を行うための方法であって，
前記第２無線接続技術がサポートする以前のセル（２０−１−Ｆ）を選択し，かつ該以前のセルからＲＳＣＰ適正性しきい値を読み出し及び記憶するステップと，
前記移動機が前記サービス提供セル（２０−１−Ａ）を選択するステップと，
前記サービス提供セルから前記セル（２０−１−Ｂ）を再選択するために，前記移動機が再選択基準を確立するステップ（５０）であって，該再選択基準が，前記ＲＳＣＰ適正性しきい値及び前記移動機が所定の基準を用いて定義するオフセットを含む少なくとも１つのしきい値を含むステップと，を有する方法。
【請求項２】
前記サービス提供セルをサービス提供ＧＥＲＡＮセルとし，前記セルをＵＴＲＡＮセルとし，前記以前のセルを以前のＵＴＲＡＮセルとし，前記第１無線接続技術をＧＳＭ／ＥＤＧＥ無線接続ネットワーク（ＧＥＲＡＮ）とし，前記第２無線接続技術を世界地上無線接続ネットワーク（ＵＴＲＡＮ）とし，かつ前記ＲＳＣＰ適正性しきい値をＵＴＲＡＮ ＲＳＣＰ適正性しきい値とする請求項１に記載の方法。
【請求項３】
前記ＵＴＲＡＮセルが前記再選択基準に適合しているかどうかを判定するステップ（５４）と，それに適合しているとき前記移動機が前記ＵＴＲＡＮセルを再選択するステップとを更に有する請求項２に記載の方法。
【請求項４】
前記サービス提供ＧＥＲＡＮセルを選択するステップの前に，以前のＵＴＲＡＮセルを選択し，かつ前記ＵＴＲＡＮセルから前記ＵＴＲＡＮ ＲＳＣＰ適正性しきい値を読み出し及び記憶するステップを有する請求項２に記載の方法。
【請求項５】
前記オフセットがヒステリシス値を含むか，又は前記移動機の電力能力を用いて定義される請求項２に記載の方法。
【請求項６】
計算機プログラム製品であって，計算機プロセッサが計算機プログラムコードを実行するために該計算機プログラムコードをその上に組み込んだ計算機可読記憶構造を備え，前記移動機，前記ＧＳＭ／ＥＤＧＥ無線接続ネットワーク（ＧＥＲＡＮ）又は前記世界地上無線接続ネットワーク（ＵＴＲＡＮ）の任意のコンポーネントが実行するように指示された請求項２に記載の方法ステップを実行する命令を含むことを特徴とする計算機プログラム製品。
【請求項７】
第１無線接続技術がサポートするサービス提供セル（２０−１−Ａ）から第２無線接続技術がサポートするセル（２０−１−Ｂ）へ，移動機（１０）がセル再選択を行うための方法であって，
前記移動機が前記サービス提供セル（２０−１−Ａ）を選択するステップと，
前記サービス提供セルから前記セル（２０−１−Ｂ）を再選択するために，前記移動機が第１及び第２再選択基準を確立するステップ（６０）であって，前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）及び前記移動機が前記比に加えるオフセットを含むしきい値を含む前記第１再選択基準，並びにＲＳＣＰしきい値と，前記比の前記オフセットと，前記ＲＳＣＰしきい値とを含む前記第２再選択基準を，前記サービス提供セルが前記移動機に提供するステップと，を有する方法。
【請求項８】
前記サービス提供セルをサービス提供ＧＥＲＡＮセルとし，前記セルをＵＴＲＡＮセルとし，前記第１無線接続技術をＧＳＭ／ＥＤＧＥ無線接続ネットワーク（ＧＥＲＡＮ）とし，前記第２無線接続技術を世界地上無線接続ネットワーク（ＵＴＲＡＮ）とし，かつ前記ＲＳＣＰしきい値をＵＴＲＡＮ ＲＳＣＰしきい値とする請求項７に記載の方法。
【請求項９】
前記ＵＴＲＡＮセルが前記第１及び第２再選択基準に適合しているかどうかを判定するステップ（５４）と，それらに適合しているとき前記移動機が前記ＵＴＲＡＮセルを再選択するステップとを更に有する請求項８に記載の方法。
【請求項１０】
前記ＵＴＲＡＮ ＲＳＣＰしきい値がヒステリシス値を含むか，又は前記移動機の電力能力を用いて定義される請求項８に記載の方法。
【請求項１１】
計算機プログラム製品であって，計算機プロセッサが計算機プログラムコードを実行するために該計算機プログラムコードをその上に組み込んだ計算機可読記憶構造を備え，前記移動機，前記ＧＳＭ／ＥＤＧＥ無線接続ネットワーク（ＧＥＲＡＮ）又は前記世界地上無線接続ネットワーク（ＵＴＲＡＮ）の任意のコンポーネントが実行するように指示された請求項８に記載の方法ステップを実行する命令を含むことを特徴とする計算機プログラム製品。
【請求項１２】
第１無線接続技術がサポートするサービス提供セル（２０−１−Ａ）から第２無線接続技術がサポートするセル（２０−１−Ｂ）へセル再選択を行うことができる移動機であって，
ＲＳＣＰ適正性しきい値を示す受信しきい値信号（２２）を提供するために，前記第２無線接続技術がサポートする以前のセル（２０−１−Ｆ）からの前記ＲＳＣＰ適正性しきい値を示すしきい値信号（３１）に反応する受信／送信／処理モジュールと，
前記サービス提供セルから前記セル（２０−１−Ｂ）を再選択するための再選択基準を確立するために，前記ＲＳＣＰ適正性しきい値を示す前記受信しきい値信号（２２）に反応するセル再選択ブロック（１４）であって，前記再選択基準が，前記ＲＳＣＰ適正性しきい値を含む少なくとも１つのしきい値及び所定の基準を用いて前記セル再選択ブロックが定義するオフセットを含むセル再選択ブロックと，を備える移動機。
【請求項１３】
前記サービス提供セルをサービス提供ＧＥＲＡＮセルとし，前記セルをＵＴＲＡＮセルとし，前記以前のセルを以前のＵＴＲＡＮセルとし，前記第１無線接続技術をＧＳＭ／ＥＤＧＥ無線接続ネットワーク（ＧＥＲＡＮ）とし，前記第２無線接続技術を世界地上無線接続ネットワーク（ＵＴＲＡＮ）とし，かつ前記ＲＳＣＰ適正性しきい値をＵＴＲＡＮ ＲＳＣＰ適正性しきい値とする請求項１２に記載の移動機。
【請求項１４】
前記ＵＴＲＡＮセルが前記再選択基準に適合しているかどうかを前記セル再選択ブロック（１４）が判定し，それに適合しているとき前記移動機が前記ＵＴＲＡＮセルを再選択する請求項１３に記載の移動機。
【請求項１５】
前記オフセットがヒステリシス値を含むか，又は前記移動機の電力能力を用いて定義される請求項１３に記載の移動機。
【請求項１６】
前記移動機が，前記ＵＴＲＡＮ ＲＳＣＰ適正性しきい値を記憶するためのメモリを備える請求項１３に記載の移動機。
【請求項１７】
第１無線接続技術がサポートするサービス提供セル（２０−１−Ａ）から第２無線接続技術がサポートするセル（２０−１−Ｂ）へセル再選択を行うことができる移動機であって，
ＲＳＣＰ適正性しきい値及び前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示す受信信号（２３）を提供するために，前記ＲＳＣＰ適正性しきい値及び前記比の前記オフセットを示す前記サービス提供セルからの信号（３０）に反応する受信／送信／処理モジュールと，
前記サービス提供セルから前記セル（２０−１−Ｂ）を再選択するための第１及び第２再選択基準を確立するために，前記ＵＴＲＡＮ ＲＳＣＰ適正性しきい値及び前記比の前記オフセットを示す前記受信信号（２３）に反応するセル再選択ブロック（１４）であって，前記第１再選択基準が，前記比（Ｅｃ／Ｎｏ）及び前記比に加えられた前記オフセットを含むしきい値を含み，かつ前記第２再選択基準が前記ＲＳＣＰしきい値を含むセル再選択ブロックと，を備える移動機。
【請求項１８】
前記サービス提供セルをサービス提供ＧＥＲＡＮセルとし，前記セルをＵＴＲＡＮセルとし，前記第１無線接続技術をＧＳＭ／ＥＤＧＥ無線接続ネットワーク（ＧＥＲＡＮ）とし，前記第２無線接続技術を世界地上無線接続ネットワーク（ＵＴＲＡＮ）とし，前記ＲＳＣＰ適正性しきい値をＵＴＲＡＮ ＲＳＣＰ適正性しきい値とし，前記信号をＧＥＲＡＮ信号とし，かつ前記受信信号をＧＥＲＡＮ受信信号とする請求項１７に記載の移動機。
【請求項１９】
前記ＵＴＲＡＮセルが前記第１及び第２再選択基準に適合しているかどうかを前記セル再選択ブロック（１４）が判定し，それらに適合しているとき前記移動機が前記ＵＴＲＡＮセルを再選択する請求項１８に記載の移動機。
【請求項２０】
前記ＵＴＲＡＮ ＲＳＣＰしきい値がヒステリシス値を含むか，又は前記移動機の電力能力を用いて定義される請求項１８に記載の移動機。
【請求項２１】
前記移動機が，前記ＵＴＲＡＮ ＲＳＣＰしきい値と，前記比と，前記オフセットとを記憶するためのメモリを備える請求項１８に記載の移動機。
【請求項２２】
ＧＳＭ／ＥＤＧＥ無線接続ネットワーク（ＧＥＲＡＮ）から世界地上無線接続ネットワーク（ＵＴＲＡＮ）へのセル再選択を利用するシステムであって，
ＵＴＲＡＮ ＲＳＣＰ適正性しきい値を示すしきい値信号（３１）を提供するための，世界地上無線接続ネットワークがサポートする以前のＵＴＲＡＮセル（２０−１−Ｆ）と，
ＧＳＭ／ＥＤＧＥ無線接続ネットワークがサポートするサービス提供ＧＥＲＡＮセル（２０−１−Ａ）と，
世界地上無線接続ネットワークがサポートするＵＴＲＡＮセル（２０−１−Ｂ）と，
前記サービス提供ＧＥＲＡＮセルから前記ＵＴＲＡＮセル（２０−１−Ｂ）を再選択するための再選択基準を確立するために，前記ＵＴＲＡＮ ＲＳＣＰ適正性しきい値を示す前記しきい値信号（３１）に反応する移動機であって，前記再選択基準が，前記ＵＴＲＡＮ ＲＳＣＰ適正性しきい値を含む少なくとも１つのしきい値及び所定の基準を用いて前記移動機が定義するオフセットを含む移動機と，を備えるシステム。
【請求項２３】
前記ＵＴＲＡＮセルが前記再選択基準に適合しているかどうかを前記移動機が判定し，それに適合しているとき前記移動機が前記ＵＴＲＡＮセルを再選択する請求項２２に記載のシステム。
【請求項２４】
ＧＳＭ／ＥＤＧＥ無線接続ネットワーク（ＧＥＲＡＮ）から世界地上無線接続ネットワーク（ＵＴＲＡＮ）へのセル再選択を利用するシステムであって，
世界地上無線接続ネットワークがサポートするＵＴＲＡＮセル（２０−１−Ｂ）と，
前記ＵＴＲＡＮセル（２０−１−Ｂ）を再選択するための第１及び第２再選択基準を確立するために，ＵＴＲＡＮ ＲＳＣＰ適正性しきい値及び前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示すＧＥＲＡＮ信号（３０）に反応する移動機であって，前記第１再選択基準が，前記比（Ｅｃ／Ｎｏ）及び前記比に加えられた前記オフセットを含むしきい値を含み，かつ前記第２再選択基準が前記ＵＴＲＡＮ ＲＳＣＰしきい値を含む移動機と，
前記ＧＥＲＡＮ信号（３０）を提供するために，ＧＳＭ／ＥＤＧＥ無線接続ネットワークがサポートするサービス提供ＧＥＲＡＮセル（２０−１−Ａ）であって，
前記ＵＴＲＡＮセルが前記第１及び第２再選択基準に適合していることを前記移動機が判定したとき，前記移動機が前記ＵＴＲＡＮセルを前記サービス提供ＧＥＲＡＮセルから再選択するサービス提供ＧＥＲＡＮセルと，を備えるシステム。
【請求項２５】
ＧＳＭ／ＥＤＧＥ無線接続ネットワーク（ＧＥＲＡＮ）がサポートするサービス提供ＧＥＲＡＮセル（２０−１−Ａ）から世界地上無線接続ネットワーク（ＵＴＲＡＮ）がサポートするＵＴＲＡＮセル（２０−１−Ｂ）へセル再選択を行うことができる集積回路であって，
前記ＵＴＲＡＮ ＲＳＣＰ適正性しきい値を示す受信しきい値信号（２２）を提供するために，前記世界地上無線接続ネットワークがサポートする以前のＵＴＲＡＮセル（２０−１−Ｆ）からのＵＴＲＡＮ ＲＳＣＰ適正性しきい値を示すしきい値信号（３１）に反応する受信／送信／処理モジュールと，
前記サービス提供ＧＥＲＡＮセルから前記ＵＴＲＡＮセル（２０−１−Ｂ）を再選択するための再選択基準を確立するために，前記ＵＴＲＡＮ ＲＳＣＰ適正性しきい値を示す前記受信しきい値信号（２２）に反応するセル再選択ブロック（１４）であって，前記再選択基準が，前記ＵＴＲＡＮ ＲＳＣＰ適正性しきい値を含む少なくとも１つのしきい値及び所定の基準を用いて前記セル再選択ブロックが定義するオフセットを含むセル再選択ブロックと，を備える集積回路。
【請求項２６】
ＧＳＭ／ＥＤＧＥ無線接続ネットワーク（ＧＥＲＡＮ）がサポートするサービス提供ＧＥＲＡＮセル（２０−１−Ａ）から世界地上無線接続ネットワーク（ＵＴＲＡＮ）がサポートするＵＴＲＡＮセル（２０−１−Ｂ）へセル再選択を行うことができる集積回路移動機であって，
ＵＴＲＡＮ ＲＳＣＰ適正性しきい値及び前記集積回路のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示す受信ＧＥＲＡＮ信号（２３）を提供するために，前記ＵＴＲＡＮ ＲＳＣＰ適正性しきい値及び前記比の前記オフセットを示す前記サービス提供セルからのＧＥＲＡＮ信号（３０）に反応する受信／送信／処理モジュールと，
前記サービス提供ＧＥＲＡＮセルから前記ＵＴＲＡＮセル（２０−１−Ｂ）を再選択するための第１及び第２再選択基準を確立するために，前記ＵＴＲＡＮ ＲＳＣＰ適正性しきい値及び前記比の前記オフセットを示す前記受信ＧＥＲＡＮ信号（２３）に反応するセル再選択ブロック（１４）であって，前記第１再選択基準が，前記比（Ｅｃ／Ｎｏ）及び前記比に加えられた前記オフセットを含むしきい値を含み，かつ前記第２再選択基準が前記ＵＴＲＡＮ ＲＳＣＰしきい値を含むセル再選択ブロックと，を備える集積回路移動機。
【発明の詳細な説明】
【技術分野】
【０００１】
本発明は，移動体通信システムにおけるシステム間再選択の最適化に関し，より特定すればＧＥＲＡＮからＵＴＲＡＮへのセル再選択に関する。
【背景技術】
【０００２】
既存の２Ｇから３Ｇへのセル再選択は，ＵＴＲＡＮ（世界地上無線接続ネットワーク）ＣＰＩＣＨ（共通パイロットチャネル）のＥｃ／Ｎｏ（移動機のアンテナコネクタにおけるＣＰＩＣＨからのＰＮチップ当たり受信電力と全受信電力スペクトル密度との比）のしきい値と，ＧＥＲＡＮ（ＧＳＭ／ＥＤＧＥ無線接続ネットワーク）のサービス提供セルＲＸＬＥＶ（受信信号レベル）に対するＵＴＲＡＮ ＣＰＩＣＨ ＲＳＣＰ（受信信号符号電力）レベルとに基づいている。更に，ＵＴＲＡＮへのセル再選択は，ＵＴＲＡＮ目標セルの適正性基準Ｓ（Srxlev > 0 及び Squal > 0）が満たされないときは禁止できる（再選択は引き続き起動できる）。
【０００３】
テリアソネラは，ＧＥＲＡＮからＵＴＲＡＮへの再選択制御のために，既存のパラメータに加えてＵＴＲＡＮ ＣＰＩＣＨ ＲＳＣＰに新たなしきい値を設ける，信号方式変更に基づく改善を示唆している（（１）変更要求４５．００８，CR205 3GPP TSG-GERAN第１９回会合，メキシコ，カンクン，２００４年４月１９〜２３日，Tdoc GP-040586，（２）"Background for WCDMA uplink best characterized by CPICH RSCP and downlink byCPICH Ec/Io"，Tdoc GP-040585及び（３）Ari-Pekka Salovaaraによる提案文書，"Need to study for Cell Re-selection specification changes"，２００４年６月１０日を参照されたい）。
【先行技術文献】
【特許文献】
【０００４】
【特許文献１】米国特許出願公開第２００４／００８２３２８号明細書
【特許文献２】特表２００２−５３４８２２号公報
【発明の概要】
【発明が解決しようとする課題】
【０００５】
ＧＥＲＡＮからＵＴＲＡＮセルを再選択するとき，ＧＳＭ（世界移動体通信システム）において通知されるＵＴＲＡＮ ＣＰＩＣＨ ＲＳＣＰの受け入れ可能最小レベルに関しては，現在はしきい値がない。その結果，ＵＴＲＡＮセルが適正（ピンポン現象を防ぐための実践的なヒステリシスを含む）なときはいつでも，移動機が利用可能なＵＴＲＡＮセルを再選択するという積極的再選択振る舞いの適用は不可能である。
【０００６】
より特定すれば，再選択が既存のＥｃ／Ｎｏしきい値だけで制御される（ＲＳＣＰ対ＲＸＬＥＶオフセット基準を「負の無限大」に設定，すなわちサービス提供セルＲＳＳＩ［受信信号強度指示子］対目標セルＲＳＣＰにかかわらず再選択を可能にする）とき，移動機はアップリンクが動作しない非常に遠方の（特にそのＵＴＲＡＮセルがＵＴＲＡＮサービス範囲の端にある）負荷のないＵＴＲＡＮセルを再選択するかもしれない。反対にＥｃ／Ｎｏしきい値が（アップリンク接続を保証するために）十分高く設定されているときは，移動機は負荷のあるＵＴＲＡＮセルに全く接続できないか，又は少なくとも移動機はネットワーク計画が意図しているより更に目標ＵＴＲＡＮサイトの近くへ行く必要がある。
【０００７】
この問題の出所は，前記のテリアソネラの文書に説明されているように，ＵＴＲＡＮ ＣＰＩＣＨ Ｅｃ／Ｎｏが，特にＵＴＲＡＮサービス範囲の端にあるセルに対して，ＵＴＲＡＮセルの負荷に依存して大きく変動することにある。このため，アップリンクの動作が保証される点で再選択を行うように設定すると同時に，アップリンク及びダウンリンク双方が動作する（基本的にＵＴＲＡＮ ＣＰＩＣＨ ＲＳＣＰ及びＥｃ／Ｎｏ双方が十分なレベルである）ときはいつでも，移動機がＵＴＲＡＮセルを再選択するようにすることは不可能である。ＵＴＲＡＮ適正性基準には最小ＣＰＩＣＨ ＲＳＣＰに基づくしきい値が含まれる。
【０００８】
本願発明の目的は，移動機によるＧＳＭ／ＥＤＧＥ（global system for mobile communications/enhanced data rates for GSM evolution）無線接続ネットワーク（ＧＥＲＡＮ）がサポートするサービス提供セルから，世界地上無線接続ネットワーク（ＵＴＲＡＮ）がサポートするＵＴＲＡＮセルへのセル再選択のための方法を提供することである。
【課題を解決するための手段】
【０００９】
本発明の第１実施例によれば，信号方式の変更なしに意図するシステム間再選択振る舞いが実現される。信号方式の変更は，（通常，移動機及びネットワーク双方の更新が必要となるため）市場の製品に行き渡るには常に長期間が必要なため，この方法は早期実装のためにより好ましい形態である。本発明の第２実施例によれば，利点となるように柔軟な信号方式変更が用いられ，それによってこの変更は移動機及びネットワーク装置が緊急にサポートする必要性が低くなるように意図されている。
【００１０】
本発明の第１態様によれば，第１無線接続技術がサポートするサービス提供セルから第２無線接続技術がサポートするセルへ，移動機がセル再選択を行うための方法が，前記第２無線接続技術がサポートする以前のセルを選択し，かつ該以前のセルからＲＳＣＰ適正性しきい値を読み出し及び記憶するステップと，前記移動機が前記サービス提供セルを選択するステップと，前記サービス提供セルから前記セルを再選択するために，前記移動機が再選択基準を確立するステップであって，該再選択基準が，前記ＲＳＣＰ適正性しきい値及び前記移動機が所定の基準を用いて定義するオフセットを含む少なくとも１つのしきい値を含むステップと，を有する。
【００１１】
本発明の第１態様に更によれば，前記サービス提供セルはサービス提供ＧＥＲＡＮセルであってもよく，前記セルはＵＴＲＡＮセルであってもよく，前記以前のセルは以前のＵＴＲＡＮセルであってもよく，前記第１無線接続技術はＧＳＭ／ＥＤＧＥ無線接続ネットワーク（ＧＥＲＡＮ）であってもよく，前記第２無線接続技術は世界地上無線接続ネットワーク（ＵＴＲＡＮ）であってもよく，かつ前記ＲＳＣＰ適正性しきい値はＵＴＲＡＮ ＲＳＣＰ適正性しきい値であってもよい。更に前記方法は，前記ＵＴＲＡＮセルが前記再選択基準に適合しているかどうかを判定するステップと，それに適合しているとき前記移動機が前記ＵＴＲＡＮセルを再選択するステップとを更に有してもよい。また更に，前記サービス提供ＧＥＲＡＮセルを選択するステップの前に，前記方法は以前のＵＴＲＡＮセルを選択し，かつ前記ＵＴＲＡＮセルから前記ＵＴＲＡＮ ＲＳＣＰ適正性しきい値を読み出し及び記憶するステップを有してもよい。また更に，前記オフセットがヒステリシス値を含んでもよいし，又は前記移動機の電力能力を用いて定義してもよい。
【００１２】
本発明の第２態様によれば，計算機プログラム製品が，計算機プロセッサが計算機プログラムコードを実行するために該計算機プログラムコードをその上に組み込んだ計算機可読記憶構造を備え，前記移動機，前記ＧＳＭ／ＥＤＧＥ無線接続ネットワーク（ＧＥＲＡＮ）又は前記世界地上無線接続ネットワーク（ＵＴＲＡＮ）の任意のコンポーネントが実行することを指示する本発明の第１態様のステップを実行する命令を含むことを特徴とする。
【００１３】
本発明の第３態様によれば，第１無線接続技術がサポートするサービス提供セルから第２無線接続技術がサポートするセルへ移動機がセル再選択を行うための方法が，前記移動機が前記サービス提供セルを選択するステップと，前記サービス提供セルから前記セルを再選択するために，前記移動機が第１及び第２再選択基準を確立するステップであって，前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）及び前記移動機が前記比に加えるオフセットを含むしきい値を含む前記第１再選択基準，並びにＲＳＣＰしきい値と，前記比の前記オフセットと，前記ＲＳＣＰしきい値とを含む前記第２再選択基準を，前記サービス提供セルが前記移動機に提供するステップとを有する。
【００１４】
本発明の第３態様に更によれば，前記サービス提供セルはサービス提供ＧＥＲＡＮセルであってもよく，前記セルはＵＴＲＡＮセルであってもよく，前記第１無線接続技術はＧＳＭ／ＥＤＧＥ無線接続ネットワーク（ＧＥＲＡＮ）であってもよく，前記第２無線接続技術は世界地上無線接続ネットワーク（ＵＴＲＡＮ）であってもよく，かつ前記ＲＳＣＰしきい値はＵＴＲＡＮ ＲＳＣＰしきい値であってもよい。また更に前記方法は，前記ＵＴＲＡＮセルが前記第１及び第２再選択基準に適合しているかどうかを判定するステップと，それらに適合しているとき前記移動機が前記ＵＴＲＡＮセルを再選択するステップとを有してもよい。また更に，前記ＵＴＲＡＮ ＲＳＣＰしきい値がヒステリシス値を含んでもよく，又は前記移動機の電力能力を用いて定義してもよい。
【００１５】
本発明の第４態様によれば，計算機プログラム製品が，計算機プロセッサが計算機プログラムコードを実行するために該計算機プログラムコードをその上に組み込んだ計算機可読記憶構造を備え，前記移動機，前記ＧＳＭ／ＥＤＧＥ無線接続ネットワーク（ＧＥＲＡＮ）又は前記世界地上無線接続ネットワーク（ＵＴＲＡＮ）の任意のコンポーネントが実行するように指示された本発明の第３態様のステップを実行する命令を含むことを特徴とする。
【００１６】
本発明の第５態様によれば，第１無線接続技術がサポートするサービス提供セルから第２無線接続技術がサポートするセルへセル再選択を行うことができる移動機が，ＲＳＣＰ適正性しきい値を示す受信しきい値信号を提供するために，前記第２無線接続技術がサポートする以前のセルからの前記ＲＳＣＰ適正性しきい値を示すしきい値信号に反応する受信／送信／処理モジュールと，前記サービス提供セルから前記セルを再選択するための再選択基準を確立するために，前記ＲＳＣＰ適正性しきい値を示す前記受信しきい値信号に反応するセル再選択ブロックであって，前記再選択基準が，前記ＲＳＣＰ適正性しきい値を含む少なくとも１つのしきい値及び所定の基準を用いて前記セル再選択ブロックが定義するオフセットを含むセル再選択ブロックと，を備える。
【００１７】
本発明の第５態様に更によれば，前記サービス提供セルはサービス提供ＧＥＲＡＮセルであってもよく，前記セルはＵＴＲＡＮセルであってもよく，前記以前のセルは以前のＵＴＲＡＮセルであってもよく，前記第１無線接続技術はＧＳＭ／ＥＤＧＥ無線接続ネットワーク（ＧＥＲＡＮ）であってもよく，前記第２無線接続技術は世界地上無線接続ネットワーク（ＵＴＲＡＮ）であってもよく，かつ前記ＲＳＣＰ適正性しきい値はＵＴＲＡＮ ＲＳＣＰ適正性しきい値であってもよい。更に前記ＵＴＲＡＮセルが前記再選択基準に適合しているかどうかを前記セル再選択ブロックが判定してもよく，それに適合しているとき前記移動機が前記ＵＴＲＡＮセルを再選択する。また更に，前記オフセットはヒステリシス値を含んでもよいし，又は前記移動機の電力能力を用いて定義してもよい。また更に前記移動機は，前記ＵＴＲＡＮ ＲＳＣＰ適正性しきい値を記憶するためのメモリを備えてもよい。
【００１８】
本発明の第６態様によれば，第１無線接続技術がサポートするサービス提供セルから第２無線接続技術がサポートするセルへセル再選択を行うことができる移動機が，ＲＳＣＰ適正性しきい値及び前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示す受信信号を提供するために，前記ＲＳＣＰ適正性しきい値及び前記比の前記オフセットを示す前記サービス提供セルからの信号に反応する受信／送信／処理モジュールと，前記サービス提供セルから前記セルを再選択するための第１及び第２再選択基準を確立するために，前記ＵＴＲＡＮ ＲＳＣＰ適正性しきい値及び前記比の前記オフセットを示す前記受信信号に反応するセル再選択ブロックであって，前記第１再選択基準が，前記比（Ｅｃ／Ｎｏ）及び前記比に加えられた前記オフセットを含むしきい値を含み，前記第２再選択基準が前記ＲＳＣＰしきい値を含むセル再選択ブロックと，を備える。
【００１９】
本発明の第６態様に更によれば，前記サービス提供セルはサービス提供ＧＥＲＡＮセルであってもよく，前記セルはＵＴＲＡＮセルであってもよく，前記第１無線接続技術はＧＳＭ／ＥＤＧＥ無線接続ネットワーク（ＧＥＲＡＮ）であってもよく，前記第２無線接続技術は世界地上無線接続ネットワーク（ＵＴＲＡＮ）であってもよく，前記ＲＳＣＰ適正性しきい値はＵＴＲＡＮ ＲＳＣＰ適正性しきい値であってもよく，前記信号はＧＥＲＡＮ信号であってもよく，かつ前記受信信号はＧＥＲＡＮ受信信号であってもよい。更に，前記ＵＴＲＡＮセルが前記第１及び第２再選択基準に適合しているかどうかを前記セル再選択ブロックが判定してもよく，それらに適合しているとき前記移動機が前記ＵＴＲＡＮセルを再選択する。また更に，前記ＵＴＲＡＮ ＲＳＣＰしきい値はヒステリシス値を含み，又は前記移動機の電力能力を用いて定義してもよい。また更に前記移動機が，前記ＵＴＲＡＮ ＲＳＣＰしきい値と，前記比と，前記オフセットとを記憶するためのメモリを備える。
【００２０】
本発明の第７態様によれば，ＧＳＭ／ＥＤＧＥ無線接続ネットワーク（ＧＥＲＡＮ）から世界地上無線接続ネットワーク（ＵＴＲＡＮ）へのセル再選択を利用するシステムが，ＵＴＲＡＮ ＲＳＣＰ適正性しきい値を示すしきい値信号を提供するための，世界地上無線接続ネットワークがサポートする以前のＵＴＲＡＮセルと，ＧＳＭ／ＥＤＧＥ無線接続ネットワークがサポートするサービス提供ＧＥＲＡＮセルと，世界地上無線接続ネットワークがサポートするＵＴＲＡＮセルと，前記サービス提供ＧＥＲＡＮセルから前記ＵＴＲＡＮセルを再選択するための再選択基準を確立するために，前記ＵＴＲＡＮ ＲＳＣＰ適正性しきい値を示す前記しきい値信号に反応する移動機であって，前記再選択基準が，前記ＵＴＲＡＮ ＲＳＣＰ適正性しきい値を含む少なくとも１つのしきい値及び所定の基準を用いて前記移動機が定義するオフセットを含む移動機と，を備える。
【００２１】
本発明の第７態様に更に従えば，前記ＵＴＲＡＮセルが前記再選択基準に適合しているかどうかを前記移動機が判定してもよく，それに適合しているとき前記移動機が前記ＵＴＲＡＮセルを再選択する。
【００２２】
本発明の第８態様によれば，ＧＳＭ／ＥＤＧＥ無線接続ネットワーク（ＧＥＲＡＮ）から世界地上無線接続ネットワーク（ＵＴＲＡＮ）へのセル再選択を利用するシステムが，世界地上無線接続ネットワークがサポートするＵＴＲＡＮセルと，前記ＵＴＲＡＮセルを再選択するための第１及び第２再選択基準を確立するために，ＵＴＲＡＮ ＲＳＣＰ適正性しきい値及び前記移動機のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示すＧＥＲＡＮ信号に反応する移動機であって，前記第１再選択基準が，前記比（Ｅｃ／Ｎｏ）及び前記比に加えられた前記オフセットを含むしきい値を含み，前記第２再選択基準が前記ＵＴＲＡＮ ＲＳＣＰしきい値を含む移動機と，前記ＧＥＲＡＮ信号を提供するために，ＧＳＭ／ＥＤＧＥ無線接続ネットワークがサポートするサービス提供ＧＥＲＡＮセル（２０−１−Ａ）であって，前記ＵＴＲＡＮセルが前記第１及び第２再選択基準に適合していることを前記移動機が判定したとき，前記移動機が前記ＵＴＲＡＮセルを前記サービス提供ＧＥＲＡＮセルから再選択するサービス提供ＧＥＲＡＮセルと，を備える。
【００２３】
本発明の第９態様によれば，ＧＳＭ／ＥＤＧＥ無線接続ネットワーク（ＧＥＲＡＮ）がサポートするサービス提供ＧＥＲＡＮセルから世界地上無線接続ネットワーク（ＵＴＲＡＮ）がサポートするＵＴＲＡＮセルへセル再選択を行うことができる集積回路が，前記ＵＴＲＡＮ ＲＳＣＰ適正性しきい値を示す受信しきい値信号を提供するために，前記世界地上無線接続ネットワークがサポートする以前のＵＴＲＡＮセルからのＵＴＲＡＮ ＲＳＣＰ適正性しきい値を示すしきい値信号に反応する受信／送信／処理モジュールと，前記サービス提供ＧＥＲＡＮセルから前記ＵＴＲＡＮセルを再選択するための再選択基準を確立するために，前記ＵＴＲＡＮ ＲＳＣＰ適正性しきい値を示す前記受信しきい値信号に反応するセル再選択ブロックであって，前記再選択基準が，前記ＵＴＲＡＮ ＲＳＣＰ適正性しきい値を含む少なくとも１つのしきい値及び所定の基準を用いて前記セル再選択ブロックが定義するオフセットを含むセル再選択ブロックと，を備える。
【００２４】
本発明の第１０態様によれば，ＧＳＭ／ＥＤＧＥ無線接続ネットワーク（ＧＥＲＡＮ）がサポートするサービス提供ＧＥＲＡＮセルから世界地上無線接続ネットワーク（ＵＴＲＡＮ）がサポートするＵＴＲＡＮセルへセル再選択を行うことができる集積回路移動機が，ＵＴＲＡＮ ＲＳＣＰ適正性しきい値及び前記集積回路のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示す受信ＧＥＲＡＮ信号を提供するために，前記ＵＴＲＡＮ ＲＳＣＰ適正性しきい値及び前記比の前記オフセットを示す前記サービス提供セルからのＧＥＲＡＮ信号に反応する受信／送信／処理モジュールと，前記サービス提供ＧＥＲＡＮセルから前記ＵＴＲＡＮセル（２０−１−Ｂ）を再選択するための第１及び第２再選択基準を確立するために，前記ＵＴＲＡＮ ＲＳＣＰ適正性しきい値及び前記比の前記オフセットを示す前記受信ＧＥＲＡＮ信号に反応するセル再選択ブロックであって，前記第１再選択基準が，前記比（Ｅｃ／Ｎｏ）及び前記比に加えられた前記オフセットを含むしきい値を含み，前記第２再選択基準が前記ＵＴＲＡＮ ＲＳＣＰしきい値を含むセル再選択ブロックと，を備える。
【発明の効果】
【００２５】
本発明の第１形態の利点は，先行技術が示唆するのと実質的に同一の振る舞いを，信号方式の変更なしに達成できることである。このことはまた，ＧＥＲＡＮのシステム情報同報能力が既に非常に満杯であり，新たなパラメータ（例えば，システム間再選択パラメータ）を追加することは不可能かもしれないし，又はこれらのパラメータを追加したときには，将来より重要な拡張が不可能になるかもしれないという意味でも利点となる。
【００２６】
第２形態の利点は，先行技術によって提案された改善と全く同一の移動機の振る舞いが可能になり，それに加えてネットワークが旧型端末（既存の再選択規則にだけ適合するもの）及び新型端末双方を適切に制御できることである。通常ＣＰＩＣＨ Ｅｃ／Ｎｏしきい値は，旧型端末に対しては移動機が周期的に負荷のないＵＴＲＡＮセルを再選択しないようにかなり高く設定するが，新型端末はより積極的なＥｃ／Ｎｏしきい値を用いることができる（新たなＲＳＣＰしきい値で制御されるため，アップリンクが動作しない危険性がない）。
【００２７】
本発明における方法はまた，アップリンク不動作が移動機の出力電力能力に依存するので，より正確である。より高い出力電力能力を備える移動機に最適化された場合には，より低いＲＳＣＰしきい値でも受け入れられる。
【図面の簡単な説明】
【００２８】
【図１】移動機がＧＥＲＡＮセルからＵＴＲＡＮセルへセル再選択する本願発明に従う１つの実施例を示すシステムブロック図である。
【図２】移動機がＧＥＲＡＮセルからＵＴＲＡＮセルへセル再選択する本願発明に従う１つの実施例を示すフローチャートである。
【図３】移動機がＧＥＲＡＮセルからＵＴＲＡＮセルへセル再選択する本願発明に従うもう１つの実施例を示すフローチャートである。
【発明を実施するための形態】
【００２９】
本願発明の本質及び目的をより良く理解できるように，付属の図面と共に以下の詳細な説明を参照する。
【００３０】
本願発明は，ＧＳＭ／ＥＤＧＥ無線接続ネットワーク（ＧＥＲＡＮ）がサポートするサービス提供ＧＥＲＡＮセルから世界地上無線接続ネットワーク（ＵＴＲＡＮ）がサポートするＵＴＲＡＮセルへ，移動機がセル再選択を行うための新規な方法を提供する。
【００３１】
本発明の第１実施例によれば，信号方式の変更なしに意図したシステム間再選択振る舞いが実現される。本発明の第１実施例においては利点として，目標ＵＴＲＡＮセルの適正性基準を用いることによって，システム間再選択のためのしきい値が得られる。再選択が既存の再選択パラメータによって起動されたときはいつでも，移動機はそのセルについての適正性基準を評価するために，まず目標セルのシステム情報を読み出す必要がある。本願発明によれば，再選択がまず起動されたが目標セルの適正性基準が不適当であったどの再選択試行についても，移動機はその特定のセルに対するＲＳＣＰ適正性基準（又はＵＴＲＡＮ ＲＳＣＰ適正性しきい値）を記憶する。この値（すなわちＲＳＣＰ適正性基準）は選択的に（例えばヒステリシス値を用い，又は移動機電力能力を考慮に入れて）オフセットで修正され，それでこの特定のＵＴＲＡＮセルのため及び再選択のために評価されるほかのＵＴＲＡＮセルのために，付加再選択基準として用いることができる。オフセット（例えばヒステリシス値）は，信号方式の変更を避けるために標準によって固定してもよいし，若しくはこの目的のために代替として新たなパラメータを追加するか，又は別の可能なヒステリシスパラメータを用いてもよい。
【００３２】
通常再選択基準は，ネットワークが修正された値を同報し始めたとき移動機が新しい値に気付くように，周期的に更新される。記憶したＵＴＲＡＮ値は同一の期間にのみ適用できるが，その有効性は時間依存でないことが望ましい。変化の可能性は小さく，移動機が，同報された値に変化があった後も（いったん読み込まれた）ＵＴＲＡＮパラメータを使い続けても（これは，今日既に限定された期間に発生している），性能劣化はわずかである。有効期間を比較的長くすることによって，移動機が恐らくほかのセル範囲に移動したとき，移動機が同一の候補セルから繰り返しパラメータを読み取ることを避けることができる。好ましい有効性契機は，依然として再選択又は位置登録エリアの変更のようなイベントに基づく理由であろう。本発明の第２実施例によれば，柔軟な信号方式変更が利点として用いられる。本発明の第２実施例においては，ＵＴＲＡＮ ＣＰＩＣＨ ＲＳＣＰのしきい値が再選択基準に追加されるだけでなく，それに加えて新たなＵＴＲＡＮ ＲＳＣＰしきい値をサポートする移動機が再選択評価に用いるために，ＵＴＲＡＮ ＣＰＩＣＨ Ｅｃ／Ｎｏのオフセットが追加される。更に先行技術とは反対に，さまざまな出力電力能力を持つ移動機に適切に対応するために，ＲＳＣＰ受諾基準にヒステリシス及び／又は移動機出力電力能力を考慮に入れることが示唆される。
【００３３】
このように第１実施例においては，特定数（少なくとも１）のＵＴＲＡＮセルのＵＴＲＡＮ ＲＳＣＰ適正性しきい値のために，移動機内に追加のメモリを実装する必要がある。第２実施例においては，新たな再選択パラメータをサポートするために，移動機を更新させる必要がある。
【００３４】
図１は，移動機１０がＧＥＲＡＮセルからＵＴＲＡＮセルへセル再選択を行う本願発明に従う１つの実施例を示すシステムブロック図の多くの中の一例である。
【００３５】
図１の例において，移動機１０はセル再選択ブロック１４と，メモリ１２と，送信／受信／処理モジュール１６とを備える。セル再選択ブロック１４は本願発明を実装するキーブロックであり，セル再選択に関する移動機１０が実行するすべてのステップを，セル再選択ブロック１４によって調整し開始させることができる。
【００３６】
本願発明によれば，ブロック１４はソフトウェアブロック又はハードウェアブロック，若しくはその組合せとして実装できる。更に，ブロック１４は独立したブロックとして実装することもできるし，又は移動機１０の任意のほかの標準ブロックと組み合わせることもできる。セル再選択ブロック１４は，メモリ１２を用いて本願発明に記載された適切なセル情報を記憶し，取り出すことができる。メモリ１２もまた，さまざまな方法で実装することができる。それは移動機１０のはん用メモリの一部であってもよいし，別個の専用領域（例えば，加入者識別情報モジュール（ＳＩＭ）など）であってもよい。最後に移動機１０は，当技術において既知の複数の方法で実装できる送信／受信／処理モジュール１６を含む。典型的にはモジュール１６は，送信器，受信器，ＣＰＵ，Ｉ／Ｏブロックなどを含む。基本的にモジュール１６は，セル再選択ブロック１４が以下に詳細を述べるネットワークと効率的に通信できるようにするためのものである。
【００３７】
図１は，移動機１０に対する無線到達地域２４内の少なくとも２つのサブネットワーク２０−１（ＧＥＲＡＮタイプ）及び２０−２（ＵＴＲＡＮタイプ）を示す。これら２つのサブネットワーク２０−１及び２０−２はそれぞれいくつかのセルを含むことができる。例えば，サブネットワーク２０−１はＮ個のセル２０−１−１・・・２０−１−Ａ・・・２０−１−Ｎを含み，サブネットワーク２０−２はＮ個のセル１０−２−Ｆ・・・２０−２−Ａ・・・２０−２−Ｎを含む。図２及び３に関してより詳細に記述されているとおり，移動機１０は例えばサブネットワーク２０−１のＧＥＲＡＮサービス提供セル（例えばセル２０−１−Ａ），サブネットワーク２０−２の再選択のために評価されたＵＴＲＡＮセル（例えばセル２０−１−Ｂ）又は以前に選択された（サービス提供セル２０−１−Ａを選択する前に）ＵＴＲＡＮセル２０−１−Ｆに滞在することができる。
【００３８】
ネットワーク３８は通常ネットワーク提供事業者（又はネットワーク運用事業者）２６を含み，該事業者は（本願発明の文脈においては）例えばＧＥＲＡＮサービス提供セル２０−１−Ａにセルリスト信号３３を提供し，該信号はＧＥＲＡＮサービス提供セル２０−１−Ａからの再選択を評価することができる（ＧＥＲＡＮ及びＵＴＲＡＮ双方の）セルのリストを含んでいる。
【００３９】
図２は，移動機１０がＧＥＲＡＮセル（例えばサービス提供セル２０−１−Ａ）からＵＴＲＡＮセル（例えばＵＴＲＡＮセル２０−１−Ｂ）へセル再選択を行う本願発明に従う第１実施例を示すフローチャートである。
【００４０】
図２のフローチャートは，多くの中の１つの可能なシナリオだけを表している。本願発明の第１実施例に従う方法においては，最初のステップ４０において移動機（ＭＳ）１０は，ＵＴＲＡＮセル（又は以前のＵＴＲＡＮセル）２０−１−Ｆに滞在，又は「訪問」し，適正性基準を検査（読み出し）する。特に受信／送信／処理モジュール１６は，ＵＴＲＡＮ ＲＳＣＰ適正性しきい値を示すＵＴＲＡＮセル２０−１−Ｆからのしきい値信号３１（図１参照）に反応して，前記ＵＴＲＡＮ ＲＳＣＰ適正性しきい値を示す受信しきい値信号２２（図１参照）をセル再選択ブロック１４に提供する。
【００４１】
次のステップ４２において，ＭＳ１０は後のためにＲＳＣＰ適正性パラメータ（すなわち，ＵＴＲＡＮ ＲＳＣＰ適正性しきい値）を記憶する（例えば，ＵＴＲＡＮ ＲＳＣＰ適正性しきい値がメモリ１２内に記憶される）。ＵＴＲＡＮセル２０−１−ＦがＵＴＲＡＮ適正性基準に適合しないときは，次のステップ４６においてＭＳはＧＥＲＡＮセル２０−１−Ａを選択する。次のステップ４８において，ＭＳ１０（すなわちセル再選択ブロック１４）はシステム情報（例えば，局所的に利用できるＧＥＲＡＮ及びＵＴＲＡＮ双方の近隣セルへのポインタ及び関係する再選択パラメータ）を読み出す（図１内の対応する信号３０及び２３を参照）。
【００４２】
次のステップ５０において，ＭＳ１０（すなわちセル再選択ブロック１４）は，以前に記憶されオフセットによって修正されたＵＴＲＡＮ適正性パラメータ（すなわちＵＴＲＡＮ ＲＳＣＰ適正性しきい値）からＲＳＣＰしきい値（すなわち「しきい値」）を作り出す。前記しきい値は，ＧＥＲＡＮセルからＵＴＲＡＮセルへの再選択基準として用いられる。オフセットはヒステリシス値を含んでもよいし，又は（上記で指摘したように）ＭＳ１０の電力能力を用いて定義してもよい。次のステップ５２において，ＭＳ１０（すなわちセル再選択ブロック１４）は，ＵＴＲＡＮ近隣セルのＵＴＲＡＮ ＣＰＩＣＨ ＲＳＣＰレベル（ステップ５０において確立した基準を用いる）及びＣＰＩＣＨ Ｅｃ／Ｎｏ（この基準は先行技術によって定義される），並びにＧＥＲＡＮ近隣セル（再選択のために評価すべく選択されたもの）のＲＸＬＥＶを監視する（図１の対応する信号３２及び２１を参照）。
【００４３】
ステップ５４において，再選択のために評価されるＵＴＲＡＮセル又はＧＥＲＡＮセルが再選択基準に適合するかどうかを判定する。ＧＥＲＡＮセルが再選択基準（先行技術による）に適合するときは，処理はステップ４６へ進み，新たなＧＥＲＡＮセルを再選択する。しかし，ＵＴＲＡＮセル（例えばセル２０−１−Ｂ）が再選択基準（ステップ５０において確立されたもの）に適合するときは，処理はステップ４０へ進み，恐らく新たなＵＴＲＡＮセルを再選択する（上述のステップ４０を参照）。
【００４４】
図３は，ＭＳ１０がＧＥＲＡＮセル（例えばサービス提供セル２０−１−Ａ）からＵＴＲＡＮセル（例えばＵＴＲＡＮセル２０−１−Ｂ）へセル再選択を行う本願発明に従う第２実施例を示すフローチャートである。
【００４５】
図３のフローチャートは，多くの中の１つの可能なシナリオだけを表している。本願発明の第１実施例に従う方法においては，最初のステップ５６においてＭＳ１０はＧＥＲＡＮセル２０−１−Ａを選択し，システム情報（例えば，局所的に利用できるＧＥＲＡＮ及びＵＴＲＡＮ双方の近隣セルへのポインタ）及び関係する再選択パラメータを読み出す（図１内の対応する信号３０及び２３を参照）。特に，ＵＴＲＡＮ ＲＳＣＰしきい値及び移動機のアンテナコネクタにおける共通パイロットチャネル（ＣＰＩＣＨ）のＰＮチップ当たり受信エネルギと全受信電力スペクトル密度との比（Ｅｃ／Ｎｏ）のオフセットを示すＧＥＲＡＮ信号３０（図１参照）に反応する受信／送信／処理モジュール１６が，前記ＵＴＲＡＮ ＲＳＣＰ適正性しきい値及び前記比Ｅｃ／Ｎｏの前記オフセットを示す受信ＧＥＲＡＮ信号２３をセル再選択ブロック１４に提供する。
【００４６】
次のステップ６０においてＭＳ１０（すなわちセル再選択ブロック１４）は，ＵＴＲＡＮ ＲＳＣＰしきい値及びＥｃ／Ｎｏオフセットによって修正されたＥｃ／Ｎｏしきい値に基づいて再選択基準を評価し，作り出す（このようにして，上述のように新型デバイス及び旧型デバイスに対して別々にＥｃ／Ｎｏしきい値を制御する柔軟性を残している）。ＵＴＲＡＮ ＲＳＣＰしきい値はヒステリシス値を含んでもよいし，又は（上記で指摘したように）ＭＳ１０の電力能力を用いて定義してもよい。
【００４７】
次のステップ６２において（ステップ５２と類似して），ＭＳ１０（すなわちセル再選択ブロック１４）は，ＵＴＲＡＮ近隣セルのＵＴＲＡＮ ＣＰＩＣＨ ＲＳＣＰレベル（ステップ６０において確立した基準を用いる）及びＣＰＩＣＨ Ｅｃ／Ｎｏ（ステップ６０において確立した基準を用いる），並びにＧＥＲＡＮ近隣セル（再選択のために評価すべく選択されたもの）のＲＸＬＥＶを監視する（図１の対応する信号３２及び２１を参照）。
【００４８】
ステップ６４において，再選択のために評価されるＵＴＲＡＮセル又はＧＥＲＡＮセルが再選択基準に適合するかどうかを判定する。ＧＥＲＡＮセルが再選択基準（先行技術による）に適合するときは，処理はステップ５６へ進み，新たなＧＥＲＡＮセルを再選択する。しかし，ＵＴＲＡＮセル（例えばセル２０−１−Ｂ）が再選択基準（ステップ６０において確立されたもの）に適合するときは，処理はステップ６６へ進み，恐らく新たなＵＴＲＡＮセルを再選択する。
【００４９】
本願発明の実施例によれば，本願発明に記載されたシステム間セル再選択はさまざまな新たに現れる無線接続技術に対して適用することができ，ＧＥＲＡＮ及び／又はＵＴＲＡＮに基づく現在のシステム実装に排他的に関連するものではないことに注意されたい。
【００５０】
上述したように，本発明は方法と，方法のステップを実行するための機能性を提供するさまざまなモジュールから成る対応装置との双方を提供する。本モジュールはハードウェアとして実装してもよいし，若しくは計算機プロセッサによって実行されるソフトウェア又はファームウェアとして実装してもよい。特にファームウェア又はソフトウェアの場合本発明は，計算機プロセッサによって実行するために計算機プログラムコード（すなわちソフトウェア又はファームウェア）を組み込んだ計算機可読記憶構造を含む計算機プログラム製品として提供することもできる。
【００５１】
上述した構成は，本願発明の原理の応用を例示するだけであることを理解されたい。当技術の当業者であれば，本願発明の範囲を逸脱することなく多くの修正物及び代替構成物を考案することができ，本願請求項はそれら修正物及び構成物も対象とすることを意図している。
【図１】
2011125066.tif 000003
【図２】
2011125066.tif 000004
【図３】
2011125066.tif 000005
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
第１無線接続技術がサポートする第１セルを移動機が選択するステップと，
前記第１セルから第２無線接続技術がサポートする第２セルを再選択するための第１及び第２再選択基準を前記移動機が確立するステップと，
を有し，
前記第１再選択基準は，前記移動機のアンテナコネクタにおける共通パイロットチャネルのＰＮチップ当たり受信エネルギと全受信電力スペクトル密度との比及び該比のオフセットからなるしきい値を含み，前記第２再選択基準は，受信信号符号電力適正性しきい値を含み，
前記オフセット及び前記受信信号符号電力適正性しきい値は，前記第１セルが前記移動機に提供し，
前記オフセットは，前記移動機が前記受信信号符号電力適正性しきい値に対応する機能を有するとき，前記比に加えられ，そうでないときは前記比に加えられない，方法。
【請求項２】
前記第１セルをＧＳＭ／ＥＤＧＥ無線接続ネットワークのセルとし，前記第２セルを世界地上無線接続ネットワークのセルとし，前記第１無線接続技術をＧＳＭ／ＥＤＧＥ無線接続ネットワーク技術とし，前記第２無線接続技術を世界地上無線接続ネットワーク技術とする請求項１に記載の方法。
【請求項３】
前記第２セルが前記第１及び第２再選択基準に適合しているかどうかを判定し，かつそれらに適合しているとき，前記移動機が前記第２セルを再選択する請求項１に記載の方法。
【請求項４】
前記受信信号符号電力適正性しきい値がヒステリシス値を含むか，又は前記移動機の電力能力を用いて定義される請求項１に記載の方法。
【請求項５】
計算機プロセッサが実行する計算機プログラムコードを組み込んだ計算機可読記憶媒体であって，前記計算機プログラムコードは請求項２に記載の方法を実行するための命令を含む計算機可読記憶媒体。
【請求項６】
装置であって，
第１無線接続技術がサポートする第１セルからの受信信号符号電力適正性しきい値及び前記装置のアンテナコネクタにおける共通パイロットチャネルのＰＮチップ当たり受信エネルギと全受信電力スペクトル密度との比のオフセットを示す信号に反応して，前記受信信号符号電力適正性しきい値及び前記オフセットを示す受信信号を提供するように構成された処理モジュールと，
前記受信信号に反応して，前記第１セルから第２無線接続技術がサポートする第２セルを再選択するための第１及び第２再選択基準を確立するように構成されたセル再選択ブロックと，
を備え，
前記第１再選択基準が，前記比及び前記オフセットからなるしきい値を含み，前記第２再選択基準が前記受信信号符号電力適正性しきい値を含み，
前記オフセットは，前記装置が前記受信信号符号電力適正性しきい値に対応する機能を有するとき，前記比に加えられ，そうでないときは前記比に加えられない，装置。
【請求項７】
前記第１セルをＧＳＭ／ＥＤＧＥ無線接続ネットワークのセルとし，前記第２セルを世界地上無線接続ネットワークのセルとし，前記第１無線接続技術をＧＳＭ／ＥＤＧＥ無線接続ネットワーク技術とし，前記第２無線接続技術を世界地上無線接続ネットワーク技術とする請求項６に記載の装置。
【請求項８】
前記第２セルが前記第１及び第２再選択基準に適合しているかどうかを判定し，適合しているとき前記第２セルを再選択するように前記セル再選択ブロックを構成する請求項６に記載の装置。
【請求項９】
前記受信信号符号電力適正性しきい値がヒステリシス値を含むか，又は前記装置の電力能力を用いて定義される請求項６に記載の装置。
【請求項１０】
前記装置が，前記受信信号符号電力適正性しきい値と，前記比と，前記オフセットとを記憶するためのメモリを備える請求項６に記載の装置。
【請求項１１】
世界地上無線接続ネットワークがサポートする第２セルと，
ＧＳＭ／ＥＤＧＥ無線接続ネットワークがサポートする第１セルと，
移動機であって，受信信号符号電力適正性しきい値及び該移動機のアンテナコネクタにおける共通パイロットチャネルのＰＮチップ当たり受信エネルギと全受信電力スペクトル密度との比のオフセットを示す前記第１セルからの受信信号に反応して，前記第１セルから前記第２セルを再選択するための第１及び第２再選択基準を確立する移動機と，
を備え，
前記第１再選択基準が，前記比及び前記オフセットからなるしきい値を含み，かつ前記第２再選択基準が前記受信信号符号電力適正性しきい値を含み，
前記オフセットは，前記移動機が前記受信信号符号電力適正性しきい値に対応する機能を有するとき，前記比に加えられ，そうでないときは前記比に加えられない，システム。
【請求項１２】
集積回路が前記セル再選択ブロック及び前記処理モジュールを備える請求項６に記載の装置。
【請求項１３】
装置であって，
第１無線接続技術がサポートする第１セルからの信号であって，受信信号符号電力適正性しきい値及び前記装置のアンテナコネクタにおける共通パイロットチャネルのＰＮチップ当たり受信エネルギと全受信電力スペクトル密度との比のオフセットを示す信号に反応して，前記受信信号符号電力適正性しきい値及び前記オフセットを示す受信信号を提供する処理手段と，
前記受信信号に反応して，前記第１セルから第２無線接続技術がサポートする第２セルを再選択するための第１及び第２再選択基準を確立する再選択手段と，
を備え，
前記第１再選択基準が前記比及び前記オフセットからなるしきい値を含み，前記第２再選択基準が前記受信信号符号電力適正性しきい値を含み，
前記オフセットは，前記装置が前記受信信号符号電力適正性しきい値に対応する機能を有するとき，前記比に加えられ，そうでないときは前記比に加えられない，装置。
【請求項１４】
前記第２セルが前記第１及び第２再選択基準に適合しているかどうかを判定し，適合しているとき前記第２セルを再選択するように前記再選択手段を構成する請求項１３に記載の装置。
【請求項１５】
前記第２セルが前記第１及び第２再選択基準に適合しているかどうかを判定し，適合しているとき前記第２セルを再選択するように前記移動機を構成する請求項１１に記載のシステム。